Podtech/llm-jp-corpus-v4-ja_patent huggingface dataset:
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
ディジタル受信機構造のためのタイミング同期回路であって、
上記タイミング同期回路は、タイミング誤差検出モジュールと、タイミング誤差制御モジュールとを備え、
上記タイミング誤差検出モジュールは、ディジタルデータストリームの到来するサンプル間の位相差を計算するように構成された位相差計算ユニットと、上記計算された位相差に基づいてタイミング誤差推定値を決定し、上記決定されたタイミング誤差推定値に基づいてタイミング誤差検出を示す信号を生成するように構成されたタイミング誤差推定器とを備え、
上記タイミング誤差制御モジュールは、上記タイミング誤差検出を示す信号を受信し、タイミング誤差検出を示す所定個数の受信された信号を評価し、しきい値と比較した後で、上記ディジタルデータストリームを取得するために行われるサンプリングの瞬間を調整するためのサンプリング調整コマンドを出力するように構成されるタイミング同期回路。
【請求項２】
上記位相差計算ユニットは構成可能な遅延を与えるように適合される請求項１記載のタイミング同期回路。
【請求項３】
上記到来するサンプルは同相／直交位相のペアとして供給される請求項１記載のタイミング同期回路。
【請求項４】
上記タイミング誤差推定器は、複数の上記タイミング誤差推定値を格納するための構成可能な長さを有するレジスタを備える請求項１記載のタイミング同期回路。
【請求項５】
上記格納されたタイミング誤差推定値の平均を演算し、平均されたタイミング誤差推定値を生成するように構成された請求項４記載のタイミング同期回路。
【請求項６】
上記タイミング誤差検出を示す信号は、上記タイミング誤差推定値の極性の表示を含む請求項１記載のタイミング同期回路。
【請求項７】
上記タイミング誤差推定器は、上記タイミング誤差推定値をしきい値レベルと比較するように構成される請求項１〜４、６のうちの１つに記載のタイミング同期回路。
【請求項８】
上記タイミング誤差推定器は、上記平均されたタイミング誤差推定値をしきい値レベルと比較するように構成される請求項５記載のタイミング同期回路。
【請求項９】
上記タイミング誤差検出モジュールは、上記タイミング誤差推定値に対してダウンサンプリングを行うように構成される請求項１記載のタイミング同期回路。
【請求項１０】
上記タイミング誤差検出モジュールは、上記サンプリング調整コマンドを受信するように構成される請求項１記載のタイミング同期回路。
【請求項１１】
上記到来するサンプルは、周波数偏移変調又は位相偏移変調の変調方式により変調されている請求項１記載のタイミング同期回路。
【請求項１２】
請求項１記載のタイミング同期回路を備えるディジタル受信機構造。
【請求項１３】
受信された入力ストリームをダウンサンプリングして上記ディジタルデータストリームを取得するように構成されたダウンサンプリングブロック備える請求項１２記載のディジタル受信機構造。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
カテキンを含有する液体に紅茶抽出物を添加するか、または紅茶抽出物を含有する液体にカテキンを添加することを含むカテキン含有飲料の製造方法であって、
該飲料のｐＨが５〜６．５であり、
該飲料中の該カテキンの含量がＸ、該紅茶抽出物の含量がＹのとき、
１２０ｍｇ／１００ｍＬ＞Ｘ＞９０ｍｇ／１００ｍＬ、
２４ｍｇ／１００ｍＬ≧Ｙ＞４ｍｇ／１００ｍＬ、且つ
Ｘ＋Ｙ＞１０８ｍｇ／１００ｍＬ
である方法。
【請求項２】
カテキンを含有する液体に紅茶抽出物を添加するか、または紅茶抽出物を含有する液体にカテキンを添加することを含む飲料の微生物汚染防止方法であって、
該飲料のｐＨが５〜６．５であり、
該飲料中の該カテキンの含量がＸ、該紅茶抽出物の含量がＹのとき、
１２０ｍｇ／１００ｍＬ＞Ｘ＞９０ｍｇ／１００ｍＬ、
２４ｍｇ／１００ｍＬ≧Ｙ＞４ｍｇ／１００ｍＬ、且つ
Ｘ＋Ｙ＞１０８ｍｇ／１００ｍＬ
である方法。
【請求項３】
微生物がバチルス・コアギュランスまたはバチルス・サックレトニー類縁菌である、請求項２記載の方法。
【請求項４】
カテキンおよび紅茶抽出物を含有する飲料であって、
該飲料のｐＨが５〜６．５であり、
該飲料中の該カテキンの含量がＸ、該紅茶抽出物の含量がＹのとき、
１２０ｍｇ／１００ｍＬ＞Ｘ＞９０ｍｇ／１００ｍＬ、
２４ｍｇ／１００ｍＬ≧Ｙ＞４ｍｇ／１００ｍＬ、且つ
Ｘ＋Ｙ＞１０８ｍｇ／１００ｍＬ
である飲料。
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
複数の画素のそれぞれに発光素子が設けられ、前記画素が配列された表示領域を有する第１基板と、
前記画素を開口する遮光層、および、着色層を有し少なくとも前記遮光層の開口部に設けられたカラーフィルタを有する第２基板と、
ガラスを含み、前記表示領域および前記カラーフィルタが対向するように、前記第１基板および前記第２基板を貼り合わせ、前記カラーフィルタの外側に設けられたシール材と、を有し、
少なくとも前記カラーフィルタの上面および端部を覆う無機絶縁層を有し、
前記無機絶縁層は、前記シール材と接し、前記第２基板と前記シール材との間に設けられ、
前記無機絶縁層は、第１表面および前記第１表面の反対側の第２表面を有し、
前記シール材は、前記第１表面において前記無機絶縁層と接し、
前記第２基板は、前記第２表面において前記無機絶縁層と接し、
前記シール材は、平面視において前記第２基板と重畳することを特徴とする表示装置。
【請求項２】
前記第１基板、前記第２基板および前記シール材で囲まれた空隙部に、前記発光素子が露出されていることを特徴とする請求項１に記載の表示装置。
【請求項３】
前記第２基板は透明であることを特徴とする請求項１に記載の表示装置。
【請求項４】
前記空隙部には、露点が−７０℃以下の気体が含まれていることを特徴とする請求項２に記載の表示装置。
【請求項５】
前記空隙部には、酸素濃度が１ｐｐｍ以下の気体が含まれていることを特徴とする請求項４に記載の表示装置。
【請求項６】
複数の画素のそれぞれに発光素子が設けられ、前記画素が配列された表示領域を有する第１基板と、
前記第１基板に対向する透明な第２基板と、
前記第１基板と前記第２基板との間に設けられ、前記画素に対応して設けられた開口部および前記表示領域の周辺の周辺領域に設けられたスリットの両方を有する遮光層と、
ガラスを含み、前記表示領域および前記遮光層の開口部が対向するように前記第１基板および前記第２基板を貼り合わせるシール材と、を有することを特徴とする表示装置。
【請求項７】
前記スリットは前記表示領域を囲むように連続して設けられていることを特徴とする請求項６に記載の表示装置。
【請求項８】
前記第２基板に配置され、着色層を有し、少なくとも前記遮光層の開口部に設けられたカラーフィルタと、
少なくとも前記カラーフィルタの上面および端部を覆う無機絶縁層と、を有することを特徴とする請求項７に記載の表示装置。
【請求項９】
前記第１基板、前記第２基板および前記シール材で囲まれた空隙部に、前記発光素子が露出されていることを特徴とする請求項８に記載の表示装置。
【請求項１０】
前記シール材は、前記無機絶縁層と接していることを特徴とする請求項９に記載の表示装置。
【請求項１１】
前記空隙部には、露点が−７０℃以下の気体が含まれていることを特徴とする請求項９または１０に記載の表示装置。
【請求項１２】
前記空隙部には、酸素濃度が１ｐｐｍ以下の気体が含まれていることを特徴とする請求項１１に記載の表示装置。
【請求項１３】
複数の画素のそれぞれに発光素子が設けられ、前記画素が配列された表示領域を有する第１基板と、
前記第１基板に対向する透明な第２基板と、
前記第１基板と前記第２基板との間に設けられ、前記画素を開口する第１遮光層と、
前記第２基板に対して前記第１遮光層が配置された面とは反対の面に配置され、前記表示領域の周辺の周辺領域に設けられた第２遮光層と、
ガラスを含み、前記表示領域およびカラーフィルタが対向するように前記第１基板および前記第２基板を貼り合わせるシール材と、を有することを特徴とする表示装置。
【請求項１４】
前記第２遮光層は前記表示領域を囲むように連続して設けられていることを特徴とする請求項１３に記載の表示装置。
【請求項１５】
前記第２遮光層が配置された面であって、前記表示領域に透明導電層を有することを特徴とする請求項１３に記載の表示装置。
【請求項１６】
前記透明導電層はタッチセンサ用配線であることを特徴とする請求項１５に記載の表示装置。
【請求項１７】
前記スリットは、平面視において前記発光素子と前記シール材との間に挟まれていることを特徴とする請求項６に記載の表示装置。
【請求項１８】
前記シール材、前記無機絶縁層、および前記第２基板は、平面視において互いに重畳し、
前記無機絶縁層は、前記シール材と前記第２基板との間に設けられていることを特徴とする請求項１に記載の表示装置。
【請求項１９】
前記第２基板は、平面視において前記第２基板が前記シール材と重畳する領域に開口が設けられていないことを特徴とする請求項６または１３に記載の表示装置。
【手続補正書】
【提出日】平成29年1月4日(2017.1.4)
【手続補正１】
【補正対象書類名】特許請求の範囲
【補正対象項目名】全文
【補正方法】変更
【補正の内容】
【特許請求の範囲】
【請求項１】
光源と、
電源と接続する常用点灯装置と、
蓄電池と、
前記蓄電池を充電する充電回路と、
前記蓄電池により動作する非常用点灯装置と、
整流回路を介して前記電源から電力を受ける一次巻線および前記一次巻線と磁気的に結合した二次巻線を有する絶縁トランスと、前記二次巻線と前記蓄電池の間に設けられた出力平滑コンデンサと、を含む高調波低減機能を有するフライバックコンバータ回路と、
前記常用点灯装置と前記光源を電気的に接続する第１接続と、前記非常用点灯装置と前記光源を接続する第２接続とを切り替える切替手段と、
を備え、
前記二次巻線が、前記出力平滑コンデンサおよび前記充電回路を介して前記蓄電池に接続する第１の二次巻線と、前記第１の二次巻線と分離し前記出力平滑コンデンサを介さずに前記切替手段に接続する第２の二次巻線と、を備え、
前記切替手段は前記第２の二次巻線の出力に応じて前記第１接続と前記第２接続を切り替える照明器具。
【請求項２】
前記高調波低減機能を有するフライバックコンバータ回路は、前記一次巻線に接続したスイッチング素子をスイッチング制御する制御回路と、前記第１の二次巻線の出力の大きさに応じた出力信号を前記制御回路に供給するエラーアンプと、を含み、前記エラーアンプの出力側と入力側との間に接続する積分コンデンサを備える請求項１に記載の照明器具。
【請求項３】
光源と、
電源と接続する常用点灯装置と、
蓄電池と、
前記蓄電池を充電する充電回路と、
前記蓄電池により動作する非常用点灯装置と、
整流回路を介して前記電源から電力を受ける一次巻線および前記一次巻線と磁気的に結合した二次巻線を有する絶縁トランスと、前記一次巻線に接続したスイッチング素子と、前記スイッチング素子をスイッチング制御する制御回路と、前記二次巻線の出力の大きさに応じた出力信号を前記制御回路に供給するエラーアンプと、を含み、前記二次巻線の出力で前記蓄電池を充電する高調波低減機能を有するフライバックコンバータ回路と、
前記二次巻線の出力と前記エラーアンプの出力信号の両方が低下したか否かを示す判定信号を出力する判定回路と、
前記常用点灯装置と前記光源を電気的に接続する第１接続と、前記非常用点灯装置と前記光源を接続する第２接続と、を前記判定信号に応じて切り替える切替手段と、
を備える照明器具。
【請求項４】
前記エラーアンプの出力信号を前記制御回路に伝達するフォトカプラを備え、
前記フォトカプラよりも前段において前記エラーアンプと前記判定回路を接続する請求項３に記載の照明器具。
【請求項５】
前記エラーアンプに接続する積分コンデンサを備える請求項３または４に記載の照明器具。
【請求項６】
前記二次巻線と前記充電回路の間に設けられた出力平滑コンデンサを備え、
前記二次巻線が、前記充電回路を介して前記蓄電池に接続する第１の二次巻線と、前記第１の二次巻線と分離し前記出力平滑コンデンサを介さずに前記判定回路に接続する第２の二次巻線と、を含み、
前記第１の二次巻線で前記蓄電池を充電し、
前記判定信号は、前記第２の二次巻線の出力と前記エラーアンプの出力信号の両方が低下したか否かを示す信号である請求項３〜５のいずれか１項に記載の照明器具。
【手続補正２】
【補正対象書類名】明細書
【補正対象項目名】０００６
【補正方法】変更
【補正の内容】
【０００６】
第１の発明にかかる照明器具は、光源と、電源と接続する常用点灯装置と、蓄電池と、前記蓄電池を充電する充電回路と、前記蓄電池により動作する非常用点灯装置と、整流回路を介して前記電源から電力を受ける一次巻線および前記一次巻線と磁気的に結合した二次巻線を有する絶縁トランスと、前記二次巻線と前記蓄電池の間に設けられた出力平滑コンデンサと、を含む高調波低減機能を有するフライバックコンバータ回路と、前記常用点灯装置と前記光源を電気的に接続する第１接続と、前記非常用点灯装置と前記光源を接続する第２接続とを切り替える切替手段と、を備え、前記二次巻線が、前記出力平滑コンデンサおよび前記充電回路を介して前記蓄電池に接続する第１の二次巻線と、前記第１の二次巻線と分離し前記出力平滑コンデンサを介さずに前記切替手段に接続する第２の二次巻線と、を備え、前記切替手段は前記第２の二次巻線の出力に応じて前記第１接続と前記第２接続を切り替える。
【手続補正３】
【補正対象書類名】明細書
【補正対象項目名】０００７
【補正方法】変更
【補正の内容】
【０００７】
第２の発明にかかる照明器具は、光源と、電源と接続する常用点灯装置と、蓄電池と、前記蓄電池を充電する充電回路と、前記蓄電池により動作する非常用点灯装置と、整流回路を介して前記電源から電力を受ける一次巻線および前記一次巻線と磁気的に結合した二次巻線を有する絶縁トランスと、前記一次巻線に接続したスイッチング素子と、前記スイッチング素子をスイッチング制御する制御回路と、前記二次巻線の出力の大きさに応じた出力信号を前記制御回路に供給するエラーアンプと、を含み、前記二次巻線の出力で前記蓄電池を充電する高調波低減機能を有するフライバックコンバータ回路と、前記二次巻線の出力と前記エラーアンプの出力信号の両方が低下したか否かを示す判定信号を出力する判定回路と、前記常用点灯装置と前記光源を電気的に接続する第１接続と、前記非常用点灯装置と前記光源を接続する第２接続と、を前記判定信号に応じて切り替える切替手段と、を備える。
【手続補正書】
【提出日】平成29年6月9日(2017.6.9)
【手続補正１】
【補正対象書類名】明細書
【補正対象項目名】０００１
【補正方法】変更
【補正の内容】
【０００１】
本発明は、麻痺腕の動作をアシストするリハビリ装置に関する。
【手続補正２】
【補正対象書類名】明細書
【補正対象項目名】０００６
【補正方法】変更
【補正の内容】
【０００６】
本発明のリハビリ装置は、麻痺腕の動作をアシストするリハビリ装置であって、健常腕が前記麻痺腕をアシストするアシスト動作を検出する検出部と、前記麻痺腕に屈伸動作を行わせるアシスト部と、前記検出部によるアシスト動作の検出によって、前記アシスト部の動作タイミング、動作速度、又は屈曲負荷若しくは伸展負荷を調整する調整部と、前記調整部によって調整された動作タイミング、動作速度、又は屈曲負荷若しくは伸展負荷によって前記アシスト部を動作させる制御部とを備えたことを特徴とする。
また、本発明のリハビリ装置において、前記検出部は、前記健常腕の手で前記麻痺腕の前腕又は前記麻痺腕の手を支えることを検出することができる。
また、本発明のリハビリ装置において、前記検出部は、前記健常腕の前記手に装着する第１の装着具と、前記麻痺腕の前記前腕又は前記麻痺腕の前記手に装着する第２の装着具とからなり、前記第１の装着具が前記第２の装着具に接触又は前記第１の装着具が前記第２の装着具を押圧することで検出を行うことができる。
また、本発明のリハビリ装置において、前記麻痺腕の筋電位を検出する筋電センサと、前記筋電センサで前記筋電位が検出されたことを知らせる出力部とを備えることができる。
また、本発明のリハビリ装置において、前記アシスト部は、筋電刺激装置であり、前記筋電刺激装置は、前記筋電センサで検出した前記筋電位又は前記筋電センサで検出した前記筋電位に基づき計算された筋シナジに応じて刺激することができる。
また、本発明のリハビリ装置において、前記出力部では、前記筋電センサでの前記筋電位の検出又は前記筋電センサで検出した前記筋電位に基づき計算された筋シナジによって、前記麻痺腕が動く映像を表示することができる。
また、本発明のリハビリ装置において、前記出力部では、前記筋電センサで検出した前記筋電位又は前記筋電センサで検出した前記筋電位に基づき計算された筋シナジと、前記麻痺腕が動く映像とを重ね合わせて、頭部装着ディスプレイを通じて表示することができる。
また、本発明のリハビリ装置において、前記調整部では、前記筋電センサでの前記筋電位の検出又は前記筋電センサで検出した前記筋電位に基づき計算された筋シナジによって、前記アシスト部の前記動作タイミング、前記動作速度、又は前記屈曲負荷若しくは前記伸展負荷を調整することができる。
また、本発明のリハビリ装置において、前記調整部では、前記健常腕又は健常者の腕での筋電位又は筋シナジをモデル入力として生成した目標値と、前記筋電センサでの前記筋電位の検出値又は前記筋電センサで検出した前記筋電位に基づき計算された筋シナジとの比較によって、前記アシスト部の前記動作タイミング、前記動作速度、又は前記屈曲負荷若しくは前記伸展負荷を調整することができる。
【手続補正３】
【補正対象書類名】明細書
【補正対象項目名】００１８
【補正方法】変更
【補正の内容】
【００１８】
図１は、本発明の一実施例によるリハビリ装置を実現するためのブロック図である。
本発明の一実施例によるリハビリ装置は、麻痺腕の動作をアシストするリハビリ装置であり、健常腕が麻痺腕をアシストするアシスト動作を検出する検出部１０と、麻痺腕に屈伸動作を行わせるアシスト部２０と、検出部１０によるアシスト動作の検出によって、アシスト部２０の動作タイミング、動作速度、又は屈曲負荷若しくは伸展負荷を調整する調整部３０と、調整部３０によって調整された動作タイミング、動作速度、又は屈曲負荷若しくは伸展負荷によってアシスト部２０を動作させる制御部４０とを備えている。
【手続補正４】
【補正対象書類名】特許請求の範囲
【補正対象項目名】全文
【補正方法】変更
【補正の内容】
【特許請求の範囲】
【請求項１】
麻痺腕の動作をアシストするリハビリ装置であって、
健常腕が前記麻痺腕をアシストするアシスト動作を検出する検出部と、
前記麻痺腕に屈伸動作を行わせるアシスト部と、
前記検出部によるアシスト動作の検出によって、前記アシスト部の動作タイミング、動作速度、又は屈曲負荷若しくは伸展負荷を調整する調整部と、
前記調整部によって調整された動作タイミング、動作速度、又は屈曲負荷若しくは伸展負荷によって前記アシスト部を動作させる制御部と
を備えたことを特徴とするリハビリ装置。
【請求項２】
前記検出部は、前記健常腕の手で前記麻痺腕の前腕又は前記麻痺腕の手を支えることを検出することを特徴とする請求項１に記載のリハビリ装置。
【請求項３】
前記検出部は、前記健常腕の前記手に装着する第１の装着具と、前記麻痺腕の前記前腕又は前記麻痺腕の前記手に装着する第２の装着具とからなり、
前記第１の装着具が前記第２の装着具に接触又は前記第１の装着具が前記第２の装着具を押圧することで検出を行うことを特徴とする請求項２に記載のリハビリ装置。
【請求項４】
前記麻痺腕の筋電位を検出する筋電センサと、
前記筋電センサで前記筋電位が検出されたことを知らせる出力部と
を備えたことを特徴とする請求項１から請求項３のいずれかに記載のリハビリ装置。
【請求項５】
前記アシスト部は、筋電刺激装置であり、
前記筋電刺激装置は、前記筋電センサで検出した前記筋電位又は前記筋電センサで検出した前記筋電位に基づき計算された筋シナジに応じて刺激することを特徴とする請求項４に記載のリハビリ装置。
【請求項６】
前記出力部では、前記筋電センサでの前記筋電位の検出又は前記筋電センサで検出した前記筋電位に基づき計算された筋シナジによって、前記麻痺腕が動く映像を表示することを特徴とする請求項４又は請求項５に記載のリハビリ装置。
【請求項７】
前記出力部では、前記筋電センサで検出した前記筋電位又は前記筋電センサで検出した前記筋電位に基づき計算された筋シナジと、前記麻痺腕が動く映像とを重ね合わせて、頭部装着ディスプレイを通じて表示することを特徴とする請求項４又は請求項５に記載のリハビリ装置。
【請求項８】
前記調整部では、前記筋電センサでの前記筋電位の検出又は前記筋電センサで検出した前記筋電位に基づき計算された筋シナジによって、前記アシスト部の前記動作タイミング、前記動作速度、又は前記屈曲負荷若しくは前記伸展負荷を調整することを特徴とする請求項４から請求項７のいずれかに記載のリハビリ装置。
【請求項９】
前記調整部では、前記健常腕又は健常者の腕での筋電位又は筋シナジをモデル入力として生成した目標値と、前記筋電センサでの前記筋電位の検出値又は前記筋電センサで検出した前記筋電位に基づき計算された筋シナジとの比較によって、前記アシスト部の前記動作タイミング、前記動作速度、又は前記屈曲負荷若しくは前記伸展負荷を調整することを特徴とする請求項４から請求項７のいずれかに記載のリハビリ装置。
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
役の当否を決定する内部抽選を行う内部抽選手段と、
遊技開始操作に基づいて前記複数のリールの回転を開始させ、停止操作を契機として、回転中のリールの位置を取得して前記内部抽選の結果に応じた態様で回転中のリールを停止させる制御を行うリール制御手段とを備えた遊技機であって、
前記リール制御手段が、
特定の停止態様で前記複数のリールが停止した遊技の次回の遊技において、前記遊技開始操作が行われてから前記停止操作が有効化されるまでの期間内に前記複数のリールを特定態様で動作させるリール演出を実行する制御を行い、
前記リール演出の実行中に前記特定の停止態様で回転中のリールを仮停止させ、
前記リール演出を終了する場合に、前記特定の停止態様で前記複数のリールが停止した際の相対位置で前記複数のリールが仮停止していた場合には、前記リール演出を実行しない遊技において前記遊技開始操作に基づいて前記複数のリールの回転を開始させる場合と同一の態様で前記複数のリールの回転を開始させる制御を行うことを特徴とする遊技機。
【請求項２】
請求項１において、
前記リール制御手段が、
前記リール演出を終了する場合に、前記特定の停止態様で前記複数のリールが停止した際の相対位置とは異なる位置関係で前記複数のリールが仮停止していた場合には、前記特定の停止態様で前記複数のリールが停止した際の相対位置に前記複数のリールの位置関係を戻す制御を行うことを特徴とする遊技機。
【請求項３】
請求項１において、
前記リール制御手段が、
前記リール演出を終了する場合に、前記特定の停止態様で前記複数のリールが停止した際の相対位置とは異なる位置関係で前記複数のリールが仮停止していた場合には、リール毎に設定された時期に、対応するリールの回転駆動を開始させる制御を行うことを特徴とする遊技機。
【手続補正書】
【提出日】平成29年1月18日(2017.1.18)
【手続補正１】
【補正対象書類名】明細書
【補正対象項目名】００１０
【補正方法】変更
【補正の内容】
【００１０】
上記の目的を達成するために本発明の情報処理システムは、サーバを含む情報処理システムであって、記憶手段が記憶するファイルを構成するページであって、クライアント端末から指定されたページの編集指示を受け付ける受付手段と、前記受付手段により編集指示を受け付けたページを、前記クライアント端末とは異なる他のクライアント端末からの編集が不可能な状態に制御する制御手段と、を備えることを特徴とする。
【手続補正２】
【補正対象書類名】特許請求の範囲
【補正対象項目名】全文
【補正方法】変更
【補正の内容】
【特許請求の範囲】
【請求項１】
サーバを含む情報処理システムであって、
記憶手段が記憶するファイルを構成するページであって、クライアント端末から指定されたページの編集指示を受け付ける受付手段と、
前記受付手段により編集指示を受け付けたページを、前記クライアント端末とは異なる他のクライアント端末からの編集が不可能な状態に制御する制御手段と、
を備えることを特徴とする情報処理システム。  
【請求項２】
前記受付手段により前記クライアント端末による編集指示を受け付けた場合に、前記ファイルの取得要求を送信する取得要求送信手段を更に備えることを特徴とする請求項１に記載の情報処理システム。
【請求項３】
前記取得要求送信手段の取得要求に応じて取得した前記ファイルをページ単位で分割可能なファイル分割手段を更に備えることを特徴とする請求項２に記載の情報処理システム。
【請求項４】
前記制御手段は、前記ファイル分割手段により分割されたファイルを構成するページであって、前記受付手段により受け付けたページを前記他のクライアント端末からの編集が不可能な状態に制御することを特徴とする請求項３に記載の情報処理システム。
【請求項５】
前記情報処理システムは、情報処理サーバと、ファイル管理サーバを備え、
前記情報処理サーバは、前記受付手段と、前記取得要求送信手段と、を備え、
前記ファイル管理サーバは、前記取得要求送信手段の取得要求に応じて前記情報処理サーバに前記ファイルを送信するファイル送信手段と、を備えることを特徴とする請求項２乃至４のいずれか１項に記載の情報処理システム。
【請求項６】
前記情報処理サーバは、前記クライアント端末から指定されたページの編集指示を受け付けた場合に、前記ファイル管理サーバに対して前記ファイルの編集を制限させるための要求を送信する第１の制限要求送信手段を更に備え、
前記ファイル管理サーバは、前記制御手段とは異なる第２の制御手段を備え、
前記第２の制御手段は、前記情報処理サーバから送信された前記要求を受信すると、前記他のクライアント端末による当該ファイルの編集を制限することを特徴とする請求項５に記載の情報処理システム。
【請求項７】
前記情報処理サーバは、
前記制御手段で編集の制限がされたページの登録指示を受け付けた場合に、当該ページの編集が可能となるように制御する第３の制御手段を更に備えることを特徴とする請求項５または６に記載の情報処理システム。
【請求項８】
前記情報処理サーバは、
前記制御手段で編集が制限されたページの登録指示を受け付けた場合に、当該登録指示のあったページと前記分割手段で分割されたページとを用いて、ファイルを生成するファイル生成手段と、
前記ファイル生成手段で生成されたファイルを編集可能な状態にするための編集要求を前記ファイル管理サーバに送信する編集要求送信手段とを更に備え、
前記文書管理サーバは、
前記情報処理サーバから送信された前記文書データの編集要求を受信すると、当該文書データの編集が可能となるように制御する第４の制御手段を更に備えることを特徴とする請求項５乃至７のいずれか１項に記載の情報処理システム。
【請求項９】
前記情報処理サーバは、
前記ファイルを構成するページのうち、前記制御手段によってチェックアウトされているページが存在する場合には、前記第４の制御手段でチェックインされた当該ファイルの編集を制限させるための要求を前記ファイル管理サーバに送信する第２の制限要求送信手段を更に備えることを特徴とする請求項８に記載の情報処理システム。
【請求項１０】
サーバを含む情報処理システムの制御方法であって、
記憶手段が記憶するファイルを構成するページであって、クライアント端末から指定されたページの編集指示を受け付ける受付工程と、
前記受付手段により編集指示を受け付けたページを、前記クライアント端末とは異なる他のクライアント端末からの編集が不可能な状態に制御する制御工程と、
を備えることを特徴とする情報処理システムの制御方法。
【請求項１１】
コンピュータを、請求項１乃至９のいずれか１項に記載された情報処理システムの各手段として機能させるためのプログラム。
【請求項１２】
記憶手段が記憶するファイルを構成するページであって、クライアント端末から指定されたページの編集指示を受け付ける受付手段と、
前記受付手段により編集指示を受け付けたページを、前記クライアント端末とは異なる他のクライアント端末からの編集が不可能な状態に制御する制御手段と、
を備えることを特徴とする情報処理サーバ。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
所定の発射強度で発射された遊技球が進入可能な特定通路と、
前記特定通路を流下する遊技球の動きを抑制させる抑制部と、
前記特定通路から放出された遊技球を受入可能とされており、遊技媒体の受入れにより特典を付与する特定受入口と
を具備しており、
前記抑制部は、前記特定通路内に設けられ、下流に向かう遊技球の方向を一定にするように構成されてなる
を具備していることを特徴とする遊技機。
【請求項２】
所定の発射強度で発射された遊技球が進入可能な特定通路と、
前記特定通路に進入する遊技球の動きを抑制させる抑制部と、
前記特定通路から放出された遊技球を受入可能とされており、遊技媒体の受入れにより特典を付与する特定受入口と
を具備しており、
前記抑制部は、前記特定通路の入口部分に設けられ、下流に向かうに従って遊技球の流路が狭くなるように構成されてなる
ことを特徴とする遊技機。
【手続補正２】
【補正対象書類名】明細書
【補正対象項目名】０００５
【補正方法】変更
【補正の内容】
【０００５】
しかしながら、特許文献１のような技術では、遊技者によっては打込操作をあまり楽しめない遊技機であると認識してしまい、遊技者の関心を引き付けることはできない虞がある。
【手続補正３】
【補正対象書類名】明細書
【補正対象項目名】０００７
【補正方法】変更
【補正の内容】
【０００７】
そこで、本発明は上記の実情に鑑み、遊技者の関心を引き付け易くすることが可能な遊技機の提供を課題とする。
【手続補正４】
【補正対象書類名】明細書
【補正対象項目名】０００８
【補正方法】変更
【補正の内容】
【０００８】
本発明は、
所定の発射強度で発射された遊技球が進入可能な特定通路（上遊技空間２５４１）と、
前記特定通路を流下する遊技球の動きを抑制させる抑制部（案内部２５４１ａ）と、
前記特定通路から放出された遊技球を受入可能とされており、遊技媒体の受入れにより特典を付与する特定受入口（第二始動口２００４）と
を具備しており、
前記抑制部は、前記特定通路内に設けられ、下流に向かう遊技球の方向を一定にするように構成されてなる
ことを特徴とする。
また、所定の発射強度で発射された遊技球が進入可能な特定通路（上遊技空間２５４１）と、
前記特定通路に進入する遊技球の動きを抑制させる抑制部（右上入口２５４０、衝止部１００６）と、
前記特定通路から放出された遊技球を受入可能とされており、遊技媒体の受入れにより特典を付与する特定受入口（第二始動口２００４）と
を具備しており、
前記抑制部は、前記特定通路の入口部分に設けられ、下流に向かうに従って遊技球の流路が狭くなるように構成されてなる
ことを特徴とする。
また、本発明とは別の発明として以下の手段を参考的に開示する。
手段１：遊技機において、
「遊技者の操作によって遊技媒体が打込まれる遊技領域と、
該遊技領域内で遊技媒体が進入して流通可能とされていると共に流通した遊技媒体を該遊技領域内へ還流させ、遊技媒体が少なくとも上下及び左右へ移動可能な広さの流通空間と、
該流通空間内での遊技媒体の動きをスムージングさせるスムーザーと、
該スムーザーによりスムージングされて前記流通空間内から前記遊技領域内へ還流された遊技媒体を受入可能とされており、該遊技領域内に遊技媒体が打込まれることで変化する遊技状態に応じて遊技媒体を受入可能に開閉し、遊技媒体の受入れにより特典を付与する可変入賞口と
を具備している」ものであることを特徴とする。
【手続補正５】
【補正対象書類名】明細書
【補正対象項目名】００６５
【補正方法】変更
【補正の内容】
【００６５】
このように、本発明によれば、遊技者の関心を引き付け易い遊技機を提供することができる。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
所定の動作が可能な第１装飾部と、 
前記第１装飾部とは異なる動作が可能な第２装飾部と、を備え、
前記第１装飾部は、所定方向に進行する動作を行うものであり、
前記第２装飾部は、前記第１装飾部の動作を阻害する動作阻害状態と、前記第１装飾部の動作を阻害しない動作許容状態に変化可能であり、
前記第２装飾部が前記動作阻害状態から前記動作許容状態に変化すると、前記第１装飾部の進行を可能とする進行路が創出される
ことを特徴とする遊技機。
【手続補正２】
【補正対象書類名】明細書
【補正対象項目名】０００４
【補正方法】変更
【補正の内容】
【０００４】
しかしながら、特許文献１の技術では、可動演出としては単調であるため、遊技者によっては早期に飽きてしまうことで、可動演出に対する関心を低下させてしまい、可動演出を楽しめなくなって遊技に対する興趣を低下させてしまう虞がある。
【手続補正３】
【補正対象書類名】明細書
【補正対象項目名】０００６
【補正方法】変更
【補正の内容】
【０００６】
そこで、本発明は上記の実情に鑑み、遊技者の興趣の低下を抑制させることが可能な遊技機の提供を課題とする。
【手続補正４】
【補正対象書類名】明細書
【補正対象項目名】０００７
【補正方法】変更
【補正の内容】
【０００７】
本発明は、
所定の動作が可能な第１装飾部（裏左突出装飾体３４２１）と、 
前記第１装飾部とは異なる動作が可能な第２装飾部（裏左回転装飾体３４１０）と、を備え、
前記第１装飾部は、所定方向に進行する動作を行うものであり、
前記第２装飾部は、前記第１装飾部の動作を阻害する動作阻害状態と、前記第１装飾部の動作を阻害しない動作許容状態に変化可能であり、
前記第２装飾部が前記動作阻害状態から前記動作許容状態に変化すると、前記第１装飾部の進行を可能とする進行路（扉部材３４２０を介して外部に突出する進行路）が創出される
ことを特徴とする。  
また、本発明とは別の発明として以下の手段を参考的に開示する。
手段１：遊技機において、
「遊技者の操作によって遊技媒体が打込まれる遊技領域と、
正面視該遊技領域内に配置されている円筒状の外周面に開口している開口部、及び該開口部を開閉可能に閉鎖している扉部材を有しており、前記遊技領域内に遊技媒体が打込まれることで変化する遊技状態に応じて回転する回転装飾体と、
該回転装飾体の内部に収容されており、遊技状態に応じて前記扉部材を開けて前記開口部から外方へ突出する突出装飾体と
を具備している」ことを特徴とする遊技機
【手続補正５】
【補正対象書類名】明細書
【補正対象項目名】００６０
【補正方法】変更
【補正の内容】
【００６０】
このように、本発明によれば、遊技者の興趣の低下を抑制させることが可能な遊技機を提供することができる。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
操作を受付ける操作受付手段と、
操作を要求する操作要求画像を表示する操作要求画像表示手段と、
前記操作要求画像の表示中において、前記操作受付手段により受付けられた操作に応じて表示態様が更新され得る操作対応画像を表示する操作対応画像表示手段とを備え、
前記操作要求画像表示手段は、前記操作対応画像と重畳する所定態様で前記操作要求画像を表示した後、前記所定態様よりも前記操作対応画像を遊技者が認識し易い特定態様で前記操作要求画像を表示し、
前記特定態様で前記操作要求画像が表示されているときは、前記所定態様で前記操作要求画像が表示されているときよりも、前記操作要求画像のサイズが小さい、遊技機。
【手続補正２】
【補正対象書類名】明細書
【補正対象項目名】０００３
【補正方法】変更
【補正の内容】
【０００３】
従来のこの種の遊技機として、所定の特典が付与されるか否かを報知するために、遊技者に対して操作を要求する操作要求演出を実行するものがあった（たとえば、特許文献１参照）。
【手続補正３】
【補正対象書類名】明細書
【補正対象項目名】０００４
【補正方法】変更
【補正の内容】
【０００４】
【特許文献１】特開２０１３−２２２０９号公報
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
この発明は、上述した従来の遊技機の実情に鑑み考え出されたものであり、その目的は、遊技の興趣を向上させることができる遊技機を提供することを目的とする。
【手続補正６】
【補正対象書類名】明細書
【補正対象項目名】０００７
【補正方法】変更
【補正の内容】
【０００７】
（１）  遊技を行うことが可能な遊技機であって、
操作を受付ける操作受付手段と、
操作を要求する操作要求画像を表示する操作要求画像表示手段と、
前記操作要求画像の表示中において、前記操作受付手段により受付けられた操作に応じて表示態様が更新され得る操作対応画像を表示する操作対応画像表示手段とを備え、
前記操作要求画像表示手段は、前記操作対応画像と重畳する所定態様で前記操作要求画像を表示した後、前記所定態様よりも前記操作対応画像を遊技者が認識し易い特定態様で前記操作要求画像を表示し、
前記特定態様で前記操作要求画像が表示されているときは、前記所定態様で前記操作要求画像が表示されているときよりも、前記操作要求画像のサイズが小さい。
上述した遊技機は、以下のように構成されてもよい。
遊技を行うことが可能な遊技機（たとえば、スロットマシン１、パチンコ遊技機）であって、
操作を受付ける操作受付手段（スイッチ検出回路４４）と、
前記操作受付手段により受付けられた操作に応じて演出態様が変化する（ボタン画像５１２および５１２’の色が変化する）操作演出（操作関連演出）を実行する演出期間に移行させる演出期間移行手段（サブ制御部９１）と、
前記演出期間を終了させる演出期間終了手段（サブ制御部９１）と、
前記演出期間において所定操作（ベット操作）が受付けられる毎に、特典（ＡＴゲーム）を付与可能な（ＡＴ抽選）特典付与手段（サブ制御部９１）とを備え、
前記演出期間終了手段は、
前記演出期間において前記所定操作が受付けられたタイミング以降に所定条件が成立した（Ｓ１１６のフリーズ実行抽選によりフリーズ非実行が決定される、およびＳ１２８のフリーズ継続抽選によりフリーズ非継続が決定される）ときに前記演出期間を終了させる第１演出期間終了手段と、
前記演出期間において特定操作（レバーオン操作）が受付けられたときに、当該演出期間において当該特定操作の前に前記所定操作が受付けられていないことを条件に、前記演出期間を終了させる（図１７に示すように演出関連処理が実行されて、ベット操作がされずにレバーオン操作されると当該演出関連処理は終了するが、レバーオン操作の前にベット処理が一度でもされると、レバーオン操作されても演出関連処理は終了しない）第２演出期間終了手段とを含み、
前記特典付与手段により付与される特典の期待値は、前記演出期間において前記タイミング以降に前記所定条件が成立することにより前記演出期間が終了したときと、前記演出期間において特定操作が受付けられたことにより前記演出期間が終了したときとで、同一または略同一である（操作関連処理が特定終了したときと通常終了したときとでは、付与されるＡＴゲームの期待値は同一である）。
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
チューブラック（３５）に配置された試験管（３６）を回転させるためのチューブ回転器（１）であって、前記チューブ回転器が、
２つのレバーアーム（３、４）を有し、前記２つのレバーアーム（３、４）の間の旋回軸（６）の回りを旋回可能なように、ベース（１６）に旋回可能に取り付けられた旋回レバー（２）と、
摩擦により試験管（３６）を回転させるために、一方のレバーアーム（３）に回転可能に取り付けられ、少なくとも１つの試験管（３６）と接触する、または離れるように配置された摩擦ホイール（１４）と、
前記摩擦ホイール（１４）を回転させるために、前記摩擦ホイール（１４）に回転可能に連結された第１のアクチュエータ（２１）と、
一方の旋回方向に前記レバー（２）を回転させるために、前記レバー（２）に作用するプリテンション力を生じさせることが可能なプリテンショナ（３０）と、
前記ベース（１６）に対して回転可能に取り付けられ、他の旋回方向に前記レバー（２）を旋回させるために他のレバーアーム（４）上を転動するように配置された偏心器（１１）と、
前記偏心器（１１）を回転させるために、前記偏心器（１１）に回転可能に連結された第２のアクチュエータ（２２）
とを備えるチューブ回転器。
【請求項２】
前記偏心器（１１）が、前記第２のアクチュエータ（２２）の回転可能なシャフト（２９）に偏心して固定されるディスク（２７）を備える請求項１記載のチューブ回転器（１）。
【請求項３】
前記プリテンショナが、２つのレッグ（３１、３２）が設けられたレッグスプリング（３０）を備え、一方のレッグ（３１）が、一方のレバーアーム（３）に固定され、他方のレッグ（３２）は、前記ベース（１６）に固定される請求項１または２記載のチューブ回転器（１）。
【請求項４】
前記旋回軸（６）が、前記レバー（２）を水平面で回転させるように、垂直方向に方向付けられる請求項１〜３のいずれか１項に記載のチューブ回転器（１）。
【請求項５】
前記チューブ回転器（１）が、
光路（４８）を有し、前記光路（４８）の遮断状態または非遮断状態を示すことが可能な光バリアと
前記光路（４８）を遮断し、前記偏心器（１１）に固定された光遮蔽素子（４９）とを備え、
前記摩擦ホイール（１４）が前記試験管（３６）に接触しているかまたは前記試験管（３６）から離れているかによって前記光路の状態が変えられるように、前記光遮蔽素子（４９）が構成されている請求項１〜４のいずれか１項に記載のチューブ回転器（１）。
【請求項６】
前記光遮蔽素子（４９）が、ディスク（２７）の部分を構成する請求項５記載のチューブ回転器（１）。
【請求項７】
前記第１のアクチュエータ（２１）が、前記レバー（２）に固定される請求項１〜６のいずれか１項に記載のチューブ回転器（１）。
【請求項８】
前記第１のアクチュエータ（２１）がＤＣモータであり、前記第２のアクチュエータ（２２）がステップモータである請求項１〜７のいずれか１項に記載のチューブ回転器（１）。
【請求項９】
試験管（３６）の機械読み取り可能なラベルの情報を読み取るシステム（１００）であって、前記システムは、
試験管（３６）を保持するためのチューブラック（３５）と、
機械読み取り可能な情報を提供するためのラベル（３８）を担持し、前記チューブラック（３５）に配置された１つまたは２つ以上の試験管（３６）と、
前記ラベル（３８）によって提供される情報を読み取ることのできる読取器（３７）と、
前記チューブラック（３５）を搬送可能なラック搬送機構（５３）と、
少なくとも１つの試験管（３６）を回転させる、請求項１〜８のいずれか１項に記載のチューブ回転器（１）と、
前記チューブラック（３５）が前記読取器（３７）を通過するように搬送機構（５３）を制御し、少なくとも１つの試験管（３６）を回転させるようにチューブ回転器（１）を制御し、および前記試験管（３６）の前記ラベル（３８）によって提供される情報を読み取るように読取器（３７）を制御するように構成されたコントローラ（５４）
とを備えるシステム。
【請求項１０】
前記コントローラ（５４）が、前記試験管（３６）の前記ラベル（３８）によって提供される情報が読み取られない場合にのみ、前記試験管（３６）を回転させるために摩擦ホイール（１４）が試験管（３６）に接触させられるように前記チューブ回転器（１）を制御するように構成される請求項９記載のシステム（１００）。
【請求項１１】
前記コントローラ（５４）は、試験管（３６）の前記ラベル（３８）を読み取ることができない場合にのみ、前記チューブラック（３５）の搬送が中断されるように前記搬送機構（５３）を制御するように構成される請求項９または１０記載のシステム（１００）。
【請求項１２】
チューブラック（３５）に配置された試験管（３６）の機械読み取り可能なラベル（３８）の情報を読み取るための方法であって、前記方法が、
前記ラベル（３８）によって提供される情報を読み取るために、前記チューブラック（３５）を、読取器（３７）に通過させる工程、
旋回レバー（２）に固定された摩擦ホイール（１４）を、前記レバー（２）を旋回させることにより少なくとも１つの試験管（３６）に接触させる工程、
摩擦によって前記試験管（３６）を回転させるように、摩擦ホイール（１４）を回転させる工程、
前記試験管（３６）の前記ラベル（３８）によって提供される情報を読み取る工程、および
前記摩擦ホイール（１４）を前記試験管（３６）から離れさせる工程
を備えた方法。
【請求項１３】
前記試験管（３６）の前記ラベル（３８）によって提供される情報が読み取ることができない場合にのみ、前記摩擦ホイール（１４）が前記試験管（３６）に接触させられる請求項１２記載の方法。
【請求項１４】
試験管（３６）の前記機械読み取り可能なラベル（３８）が読み取ることができない場合にのみ、チューブラック（３５）の搬送が中断される請求項１２または１３記載の方法。
【請求項１５】
前記摩擦ホイール（１４）が試験管（３６）に接触していることが示される場合にのみ摩擦ホイールが回転させられ、および／または前記摩擦ホイール（１４）が試験管（３６）から離れていることが示されるまで前記チューブラック（３５）が読取器（３７）に対して静止状態で維持される請求項１２〜１４のいずれか１項に記載の方法。
【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
コンプレッサ（１０５）と、
排気装置を有するタービン（１１５）と、
吸気スクリーン（１３５）と、
前記吸気スクリーン（１３５）に連結される防氷マニホールドと、
第１の入力、第２の入力および出力を有する混合部品（１８５）として機能するエダクタと、
前記コンプレッサ段（１０５）および前記エダクタ（１８５）の前記第１の入力に連結される第１の導管（１４０）と、
前記排気装置および前記エダクタ（１８５）の前記第２の入力に連結され、吸引により排気ガスを抽出するのに適する第２の導管（１６０）と、
前記エダクタ（１８５）の前記出力および前記マニホールドに連結される第３の導管（１９０）と、
前記第１の導管（１４０）に配置される第１の制御弁（１８１）と、
前記第２の導管（１６０）に配置される第１の締切り弁（２２６）と、
前記第３の導管（１９０）に配置される第２の制御弁（２３０）と、
を含み、
単一のコントローラが前記第１の制御弁（１８１）と、前記第１の締切り弁（２２６）と前記第２の制御弁（２３０）との位置を制御する信号を提供する、
システム（１００）。
【請求項２】
前記コンプレッサ（１０５）に連結されるＩＢＨシステムと、前記第３の導管（１９０）および前記ＩＢＨシステムに連結されるＩＢＨマニホールド（２００）と、をさらに含む、請求項１に記載のシステム（１００）。
【請求項３】
前記コンプレッサ（１０５）および前記タービン（１１５）に連結される燃焼器と、
前記タービン（１１５）に連結される熱回収蒸気発生器とをさらに含む、請求項１または２に記載のシステム（１００）。
【請求項４】
コンプレッサ（１０５）と、
燃焼システム（１１０）と、
タービン（１１５）と、
タービン排気サブシステム（１２０）と、
前記コンプレッサ（１０５）に連結されるコンプレッサ吸気口と、
前記コンプレッサ吸気口に連結される吸気スクリーン（１３５）と、
前記吸気スクリーン（１３５）に連結される防氷マニホールドと、
前記コンプレッサ段（１０５）に連結され、前記コンプレッサ（１０５）から空気を抽出するのに適するコンプレッサ抽出サブシステムと、
前記タービン排気サブシステム（１２０）に連結され、吸引を用いて排気ガスを抽出するのに適する第２の導管（１６０）を備える排気抽出サブシステムと、
前記コンプレッサ抽出サブシステムおよび前記排気抽出サブシステムに連結され、空気−排気混合気を生成するために前記空気と排気ガスとを混合する第３の導管（１９０）を備える混合部品（１８５）として機能するエダクタと、
前記エダクタ（１８５）および前記マニホールドに連結され、前記マニホールドに前記空気−排気混合気を搬送する第１の導管（１４０）と、
前記第１の導管（１４０）に配置される第１の制御弁（１８１）と、
前記第２の導管（１６０）に配置される第１の締切り弁（２２６）と、
前記第３の導管（１９０）に配置される第２の制御弁（２３０）と、
を含み、
単一のコントローラが前記第１の制御弁（１８１）と、前記第１の締切り弁（２２６）と前記第２の制御弁（２３０）との位置を制御する信号を提供する、
システム（１００）。
【請求項５】
前記コンプレッサ吸気口に連結される吸気ブリード熱マニホールドと、
前記エダクタ（１８５）および前記吸気ブリード熱マニホールドに連結される第２の導管（１６０）と、をさらに含む、請求項４に記載のシステム（１００）。
【請求項６】
前記第１の導管（１４０）に配置される第１の制御サブシステム（１４５）と、
前記排気抽出サブシステムに連結される第２の制御サブシステム（１６５）と、
前記コンプレッサ抽出サブシステムに連結される第３の制御サブシステムと、をさらに含む、請求項４または５に記載のシステム（１００）。
【請求項７】
前記タービン（１１５）に連結される機械的負荷と、
前記タービン排気サブシステム（１２０）に連結される蒸気タービンとをさらに含む、請求項４乃至６のいずれかに記載のシステム（１００）。